(57)【要約】【課題】安定した磁気カードの摺動操作を可能とし、読み取り不良を防止する手動式磁気カードリーダを提供する。【解決手段】磁気カード２０を摺動溝１１内に挿入する挿入部１２の底面を緩やかな曲面形状のスロープ１３を有する形状とし、挿入部１２の底面のスロープ１３の一端が、手動式磁気カードリーダ１０の筐体の端辺に位置し、該端辺が開口している。かかる構造とすることにより、挿入部１２の底面のスロープ１３に沿って磁気カード２０を滑らせるように挿入すれば、磁気カード２０の端辺を挿入部１２の底面にきちんと当接させることが容易に可能となる。その結果、摺動溝１１に沿って摺動軌道をスムーズに安定して摺動させることができ、磁気カード２０と摺動溝１１に設けられた磁気読み取り部との磁気結合が安定した状態になり、磁気カード２０の情報を正しく安定して読み取ることができる。【選択図】        図１
2010218040.tif 000002
【特許請求の範囲】
【請求項１】
磁気カードを磁気読み取り部が配置されている摺動溝内を摺動させることにより該磁気カードの情報を読み込む手動式磁気カードリーダにおいて、前記磁気カードを前記摺動溝内に挿入するための挿入部の底面が緩やかな曲面形状のスロープを有する形状とされていることを特徴とする手動式磁気カードリーダ。
【請求項２】
前記挿入部の底面のスロープの一端は、当該手動式磁気カードリーダの筐体の端辺に位置し、該端辺が開口していることを特徴とする請求項１に記載の手動式磁気カードリーダ。
【請求項３】
前記摺動溝から前記磁気カードを抜き取る離脱部の底面が緩やかな曲面形状のスロープを有する形状とされていることを特徴とする請求項１または２に記載の手動式磁気カードリーダ。
【請求項４】
前記離脱部の底面のスロープの一端は、当該手動式磁気カードリーダの筐体の端辺に位置し、該端辺が開口していることを特徴とする請求項３に記載の手動式磁気カードリーダ。
【請求項５】
前記摺動溝内に前記磁気カードの摺動を係止するストッパ機構を備えていることを特徴とする請求項１ないし４のいずれかに記載の手動式磁気カードリーダ。
【請求項６】
磁気カードの情報を読む取る磁気カードリーダを備えたＰＯＳシステムにおいて、該磁気カードリーダとして、請求項１ないし５のいずれかに記載の手動式磁気カードリーダを用いることを特徴とするＰＯＳシステム。
【発明の詳細な説明】
【技術分野】
【０００１】
本発明は、手動式磁気カードリーダおよびＰＯＳシステムに関し、特に、磁気カードの情報を読み込む手動式磁気カードリーダの搬送機構に関する。
【背景技術】
【０００２】
ＰＯＳシステムなどの業務用端末それぞれに配置されている手動式磁気カードリーダは、複数のオペレータによって使用される。しかし、特許文献１の特開平７−２４４７０９号公報「磁気カードリーダ」のような従来の手動式磁気カードリーダの場合、図２に示すように、手動式磁気カードリーダ１０Ａの挿入部１２Ａに磁気カード２０を挿入して、磁気カード２０を摺動溝１１Ａに沿って摺動操作を行う際に、挿入部１２Ａの底面が奥まった位置に設けられているので、各オペレータによる磁気カード２０の挿入時の操作の差によって、磁気カード２０の不安定摺動が発生して、読み取り不良が発生することが多い。図２は、従来の手動式磁気カードリーダの構造の一例を示す斜視図であり、タッチＰＯＳシステムなどのオペレータディスプレイに設置されている縦型の磁気カードリーダの構造を示している。
【先行技術文献】
【特許文献】
【０００３】
【特許文献１】特開平７−２４４７０９号公報（第２−３頁）
【発明の概要】
【発明が解決しようとする課題】
【０００４】
従来の手動式磁気カードリーダは、前述したように、磁気カードの挿入部の底面が奥まった位置に設けられているため、オペレータにより磁気カードを挿入部の底面まできちんと差し込むことが難しく、不完全な磁気結合のまま、磁気カードの内容を読み取るカードリード操作を行うことが多くなり、摺動溝に磁気カードを摺動させる操作が、物理的、電気的に不安定な磁気カード摺動となり易く、磁気カードの読み取り不良を誘発する要因となっていた。
【０００５】
また、金属性の摺動溝は、ＰＯＳシステムのグランドプレーンに接続されており、静電気によって帯電されたオペレータからの放電電流を安全に逃がす役割を担っているが、摺動溝の磁気読み取り部への磁気カードの磁気結合が確実に実施されないと、磁気読み取り部へ放電電流が流れることになる。この結果、読み取り品質に影響を及ぼすことになる。
【０００６】
以上のような要因から、従来の手動式磁気カードリーダは、読み取り品質の悪化が課題となっていた。
【０００７】
本発明は、かかる問題に鑑みてなされたものであり、物理的、電気的に、安定した磁気カードの摺動操作を可能とし、而して、読み取り不良を防止する手動式磁気カードリーダおよびＰＯＳシステムを提供することを、目的としている。
【課題を解決するための手段】
【０００８】
前述の課題を解決するため、本発明による手動式磁気カードリーダは、次のような特徴的な構成を採用している。
【０００９】
（１）磁気カードを磁気読み取り部が配置されている摺動溝内を摺動させることにより該磁気カードの情報を読み込む手動式磁気カードリーダにおいて、前記磁気カードを前記摺動溝内に挿入するための挿入部の底面が緩やかな曲面形状のスロープを有する形状とされている手動式磁気カードリーダ。
【発明の効果】
【００１０】
本発明の手動式磁気カードリーダおよびＰＯＳシステムによれば、以下のような効果を奏することができる。
【００１１】
第１の効果は、手動式磁気カードリーダの挿入部の底面に緩やかな曲面形状のスロープを形成することによって、該挿入部の底面が手動式磁気カードリーダの表面手前側に位置することになるので、オペレータは、該挿入部の底面のスロープに沿って磁気カードを滑らせるように挿入することによって、磁気カードの端辺を底面にきちんと当接させることが容易に可能であり、摺動溝に沿って摺動軌道をスムーズに安定して摺動させることができる点にある。而して、磁気カードと摺動溝に設けられた磁気読み取り部との磁気結合が安定した状態になり、磁気カードの情報を正しく安定して読み取ることができる。
【００１２】
第２の効果は、グランドに接続された金属製の摺動溝への磁気カードの端辺の確実な接触によって、オペレータの帯電電荷のグランドへの確実な放電が可能であり、磁気読み取り部による磁気カードの情報の読み取り動作をより安定した状態に設定することができることにある。
【図面の簡単な説明】
【００１３】
【図１】本発明による手動式磁気カードリーダの構造の一例を示す斜視図である。
【図２】従来の手動式磁気カードリーダの構造の一例を示す斜視図である。
【発明を実施するための形態】
【００１４】
以下、本発明による手動式磁気カードリーダおよびＰＯＳシステムの好適な実施例について添付図を参照して説明する。
【００１５】
（本発明の特徴）
本発明の実施形態の説明に先立って、本発明の特徴についてその概要をまず説明する。本発明は、磁気カードの情報を読み込む手動式磁気カードリーダにおいて、手動式磁気カードリーダに磁気カードを挿入する挿入部の底面に、曲面形状のスロープを設けることにより、オペレータが該挿入部の底面に沿って磁気カードを容易かつ確実に挿入することを可能にし、而して、磁気カードの摺動溝内の摺動動作を安定させ、摺動溝に設けられた磁気読み取り部へ磁気カードを確実に磁気結合させることを可能とし、磁気カードの情報の読み取り不良を防止することを特徴としている。
【００１６】
（実施形態の構成例）
次に、本発明による手動式磁気カードリーダの構造について、その一例を図１を用いて説明する。図１は、本発明による手動式磁気カードリーダの構造の一例を示す斜視図であり、タッチＰＯＳシステムなどのオペレータディスプレイに設置されている縦型の磁気カードリーダの構造の場合を例にとって示している。図１の手動式磁気カードリーダ１０は、図２の従来技術の場合と同様、磁気カード２０を挿入するための挿入部１２と、挿入した磁気カード２０を摺動させて、磁気カード２０の情報を読み取る磁気読み取り部が配設されている摺動溝１１と、を備えている。
【００１７】
ここで、図２の従来の手動式磁気カードリーダ１０Ａとは異なり、図１に示す本実施形態の磁気カードリーダ１０は、図１の上方に設けられている挿入部１２から下方の摺動溝１１に向かって、その底面が緩やかな曲面形状のスロープ１３を形成する構造とされている。つまり、挿入部１０の上部側（図１の上方向）の底面が、手動式磁気カードリーダの表面手前側に位置し、挿入部１０の下部側の底面が、摺動溝１１の底面と滑らかに連接するような構造とされている。なお、手動式磁気カードリーダ１０Ａの筐体の上部の端辺には、挿入部１０の上部の位置に開口部が形成されていて、磁気カード２０の端辺を、挿入部１２の底面にスロープ１３に沿って挿入し易い構造になっている。
【００１８】
（実施形態の動作の説明）
次に、図１に示す本実施形態の手動式磁気カードリーダ１０に磁気カード２０を挿入・摺動した際の動作について、図２の従来の手動式磁気カードリーダ１０Ａと対比しつつ説明する。
【００１９】
図２で示す従来の手動式磁気カードリーダ１０Ａの場合は、挿入部１２Ａの底面が細いスリット状の奥まった位置に配置されており、図２の太線矢印に示すように、オペレータは挿入部１２Ａへ磁気カード２０を挿入しても、磁気カード２０の端辺全体を底面にきちんと当接させることが難しく、このため、摺動溝１１Ａに沿って摺動軌道をスムーズに安定して摺動させることも難しい。
【００２０】
したがって、磁気カード２０と摺動溝１１Ａに設けられた磁気読み取り部との磁気結合も不安定になり、磁気カード２０の情報を正しく読み取ることができない場合が発生するため、オペレータは、何回も、磁気カード２０の挿入・摺動操作を繰り返すことが必要になる。
【００２１】
これに対して、図１に示す本実施形態の磁気カードリーダ１０の場合、挿入部１０の底面には緩やかな曲面形状のスロープ１３が形成されていて、挿入部１０の上部側（図１の上方向）の底面が、手動式磁気カードリーダの表面手前側に位置しているので、図１の太線矢印に示すように、オペレータは挿入部１２の底面のスロープ１３に沿って磁気カード２０を滑らせるように挿入することによって、磁気カード２０の端辺全体を摺動溝１１の底面にきちんと当接させることが容易に可能であり、摺動溝１１に沿って摺動軌道をスムーズに安定して摺動させることができる。
【００２２】
したがって、磁気カード２０と摺動溝１１に設けられた磁気読み取り部との磁気結合が安定した状態になり、磁気カード２０の情報を正しく安定して読み取ることができる。
【００２３】
また、グランドに接続された金属製の摺動溝１１の底面への磁気カード２０の端辺の確実な接触によって、オペレータの帯電電荷のグランドへの確実な放電が可能であり、磁気読み取り部による磁気カード２０の情報の読み取り動作をより安定した状態に設定することができる。
【００２４】
なお、かくのごときスロープ１３を底面に形成した挿入部１２を備えた磁気カードリーダの筐体構造は、図１のような縦型の形状に限るものではなく、各種の形状のものであっても構わない。また、図１の摺動溝１１内に設けられた磁気読み取り部と磁気カード２０との磁気結合をより確実にするために、摺動溝１１内に、磁気カード２０の摺動を係止するためのストッパ機構を備えるようにしても良い。該ストッパ機構は、例えば、オペレータによるリセットボタンの操作により係止状態を解除させるようにしても良い。さらに、図１の摺動溝１１から磁気カード２０を抜き取る離脱部側（図１の下方側）にも、挿入部１２側のスロープ１３と対称な形状のスロープを形成するようにしても良い。
【００２５】
以上のような構造の手動式磁気カードリーダ１０を搭載したＰＯＳシステムの構成とすることにより、ＰＯＳシステムにおける操作性を大幅に改善することができる。
【００２６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記挿入部の底面のスロープの一端は、当該手動式磁気カードリーダの筐体の端辺に位置し、該端辺が開口している上記（１）の手動式磁気カードリーダ。
（３）前記摺動溝から前記磁気カードを抜き取る離脱部の底面が緩やかな曲面形状のスロープを有する形状とされている上記（１）または（２）の手動式磁気カードリーダ。
（４）前記離脱部の底面のスロープの一端は、当該手動式磁気カードリーダの筐体の端辺に位置し、該端辺が開口している上記（３）の手動式磁気カードリーダ。
（５）前記摺動溝内に前記磁気カードの摺動を係止するストッパ機構を備えている上記（１）ないし（４）のいずれかの手動式磁気カードリーダ。
（６）磁気カードの情報を読む取る磁気カードリーダを備えたＰＯＳシステムにおいて、該磁気カードリーダとして、上記（１）ないし（５）のいずれかの手動式磁気カードリーダを用いるＰＯＳシステム。
【符号の説明】
【００２７】
１０      手動式磁気カードリーダ
１０Ａ    手動式磁気カードリーダ
１１      摺動溝
１１Ａ    摺動溝
１２      挿入部
１２Ａ    挿入部
１３      スロープ
２０      磁気カード
【図１】
2010218040.tif 000003
【図２】
2010218040.tif 000004